(57)【要約】      （修正有）【課題】手軽に持ち歩け、加湿に用い、または周囲の空気を芳香するために使用される携帯型霧化装置を提供する。【解決手段】本携帯型霧化装置１は、外殻体１１と、承載腔体１４と、霧化素子１５と、滑動具１６と、回路板１７とを備える。該承載腔体は該外殻体内に設けられ、貫通孔を具備し、該承載腔体は霧化液体を承載するように供する。該霧化素子は該貫通孔に設けられる。該滑動具は、該外殻体の一側に滑動可能に設けられるとともに、磁石が設けられている。該回路板は該外殻体の内側に位置するとともに、磁気開閉器１７１を具備しており、その磁気開閉器が該回路板の一側に設けられる。該滑動具が開放位置までに移動する時には、該磁気開閉器は該磁石の磁力作用によって作動して該霧化素子から噴霧させる。【選択図】図１
0003172728.tif 000002
【実用新案登録請求の範囲】
【請求項１】
携帯型霧化装置であって、
外殻体と、
前記外殻体内に設けられ、貫通孔を具備し、霧化液体を承載するための承載腔体と、
前記貫通孔に設けられる霧化素子と、
前記外殻体の一側に滑動可能に設けられ、上には磁石が設けられている滑動具と、
前記外殻体の内側に設けられ、磁気開閉器を具備しており、且つ前記磁気開閉器が一側に設けられる回路板と、
を備えることを特徴とする、携帯型霧化装置。
【請求項２】
前記回路板は発光ダイオードをさらに備え、前記発光ダイオードは前記回路板の一側に設けられることを特徴とする、請求項１に記載の携帯型霧化装置。
【請求項３】
前記滑動具は、滑り蓋と、滑り蓋開閉部材と、を備え、前記滑り蓋開閉部材は、前記滑り蓋と前記回路板との間に設けられ、前記滑り蓋の上には透光灯カバーが設けられ、前記透光灯カバーは前記発光ダイオードに対応していることを特徴とする、請求項２に記載の携帯型霧化装置。
【請求項４】
上蓋体と、圧力緩衝素子と、をさらに備え、前記上蓋体は、前記外殻体の一端に蓋設しており、前記圧力緩衝素子は、前記承載腔体と前記上蓋体との間に設けられることを特徴とする、請求項１に記載の携帯型霧化装置。
【請求項５】
前記霧化素子は、圧電片と、噴出孔片と、を備え、前記噴出孔片は、前記圧電片と前記貫通孔との間に設けられることを特徴とする、請求項１に記載の携帯型霧化装置。
【請求項６】
前記霧化素子は、噴出孔片の面蓋をさらに備え、前記噴出孔片の面蓋は前記圧電片及び前記噴出孔片から前記貫通孔の一側までを位置決めすることを特徴とする、請求項５に記載の携帯型霧化装置。
【考案の詳細な説明】
【技術分野】
【０００１】
本考案は霧化装置に関し、特に、携帯型霧化装置に関する。
【背景技術】
【０００２】
芳香剤及び噴霧薬剤などの需要が日々増加するにつれて、霧化の芳香剤溶液及び薬剤溶液を使用している霧化装置の需要が増加する。また、噴霧剤は芳香及び噴霧薬剤として使用されるほかに、気候がより乾燥している地域や国家では、室内加湿用としても提供されている。
【０００３】
而して、従来の噴霧装置は、一般的にノズル式及び圧電式とに分けることができる。ノズル式では、大半液体を加圧した後、ノズル（ｎｏｚｚｌｅ）を流通して噴出し、圧縮された液体がノズル出口を流通している時には、出口の幅が広くなるため、その瞬間外界圧力値により液体の飽和蒸気圧を降下することによって液体を蒸発させることによりミストが形成される。このようなノズル式の霧化装置では、構造が簡単で、コストが安いが、それによって生成される霧粒の大きさが不均一で、且つ隣の霧粒同士が互いに結合しやすくなることによって液滴（ｄｒｏｐｌｅｔｓ）が生成され、使用上の困惑が生ずる。
一方、圧電式の噴霧装置の作動原理は、高周波振動の器材（例えば、圧電駆動素子）を利用して液体内に設置し、振動エネルギーを利用して液体の表面張力を破壊して液体を分子化させ、または振動器の一側或いは内部に微孔霧化片が設置されることによって微孔霧化片を利用して液体に対して波動式の運動エネルギーを励起して操作し、そして液体を分子化させることによって霧化効果を達する。その利点としては生成される霧粒の大きさが均一だが、その製造コストがより高いため、通常は精密な噴霧作業が必要な環境で用いられ、大衆市場では普及しにくい。
【０００４】
而して、圧電式の噴霧技術の発展につれて、その最も重要な部品がますますコンパクト化されてきており、且つ製造コストもそれにつれて低減することになり、それが噴出された霧粒分子の大きさが均一で且つ微小（ナノメートルオーダに達することが可能になっている）である利点を有することで、医療用噴霧剤として使用される時には、人体の吸収効果を高めることができる。そのため、段々と伝統的なノズル式の携帯型霧化装置が、圧電式の噴霧装置に取って換わられて来ている。
【考案の概要】
【考案が解決しようとする課題】
【０００５】
本考案の主な目的は、霧化装置を提供することにあり、それは手軽に持ち歩けるため、加湿に用い、または周囲の空気を芳香するために使用される。
【課題を解決するための手段】
【０００６】
上記目的を達成するために、本考案の携帯型霧化装置は、外殻体と、承載腔体と、霧化素子と、滑動具と、回路板とを備える。該承載腔体は該外殻体内に設けられ、貫通孔を具備し、該承載腔体は霧化液体を承載するように供する。該霧化素子は該貫通孔に設けられる。該滑動具は、該外殻体の一側に滑動可能に設けられ、該外殻体の上には磁石が設けられている。該回路板は該外殻体の内側に設けられ、該回路板は磁気開閉器を具備しており、且つ該磁気開閉器は該回路板の一側に設けられる。
【０００７】
また、該回路板は発光ダイオードをさらに備え、該発光ダイオードは該回路板の一側に設けられる。
【０００８】
また、該滑動具は、滑り蓋と、滑り蓋開閉部材と、を備え、該滑り蓋開閉部材は、該滑り蓋と該回路板との間に設けられ、該滑り蓋の上には透光灯カバーが設けられ、該透光灯カバーは該発光ダイオードに対応している。
【０００９】
また、該滑り蓋開閉部材は、無段式である。
【００１０】
また、該携帯型霧化装置は、上蓋体と、圧力緩衝素子と、をさらに備え、該上蓋体は、該外殻体の一端に蓋設しており、該圧力緩衝素子は、該承載腔体と該上蓋体との間に設けられる。
【００１１】
また、該霧化素子は、圧電片と、噴出孔片と、を備え、該噴出孔片は、該圧電片と該貫通孔との間に設けられる。
【００１２】
また、該霧化素子は、噴出孔片の面蓋をさらに備え、該噴出孔片の面蓋は該圧電片及び該噴出孔片から該貫通孔の一側までを位置決めする。
【００１３】
また、該噴出孔片は複数の撃発孔を有している。
【００１４】
また、該噴出孔片は複数の第１の隆起部をさらに有しており、これらの第１の隆起部は非円形を呈し、該噴出孔片の上に設けられ、該噴出孔片の中心として間隔をおいて配列して設置されて幾何学模様に形成される。
【００１５】
また、該携帯型霧化装置は、電池ドックと、底蓋体と、をさらに有しており、該電池ドックは、該外殻体の両側に設けられ、該底蓋体は、該外殻体の別の端に蓋設している。
【００１６】
また、該磁気開閉器は磁気リードスイッチである。
【図面の簡単な説明】
【００１７】
【図１】本考案に係る携帯型霧化装置の好適な実施例の分解図である。
【図２】本考案に係る携帯型霧化装置の好適な実施例の組立図である。
【図３】本考案の携帯型霧化装置に係る噴出孔片の好適な実施例の第１の模式図である。
【図４】本考案の携帯型霧化装置に係る噴出孔片の好適な実施例の第２の模式図である。
【図５】本考案に係る携帯型霧化装置の好適な実施例が閉鎖位置に位置している状態の立体図である。
【図６】本考案に係る携帯型霧化装置の好適な実施例が閉鎖位置に位置している状態の断面図である。
【図７】本考案に係る携帯型霧化装置の好適な実施例が作動位置に位置している状態の立体図である。
【図８】本考案に係る携帯型霧化装置の好適な実施例が作動位置に位置している状態の断面図である。
【考案を実施するための形態】
【００１８】
本考案の内容については、下記の説明と添付図面を併せて参照し、良く理解することによってより完全な認識が容易に得られるであろう。
【実施例】
【００１９】
図１及び図２に示すように、それぞれは本考案の携帯型霧化装置の好適な実施例の分解図及び組立図であり、これらの図において、該携帯型霧化装置１は、外殻体１１と、上蓋体１２と、底蓋体１３と、承載腔体１４と、霧化素子１５と、滑動具１６と、回路板１７と、圧力緩衝素子１８と、電池ドック１９と、を備える。
【００２０】
該外殻体１１は、プラスチック或いは金属材質から製作されている。そして、本実施例において、該外殻体１１は、円筒状を呈してもよく、またその側縁部にて該滑動具１６に対応する複数のガイドレール１１１、及び１つの開孔１１２が形成されている。該開孔１１２の上にはカバー体１１３を蓋設してもよい。
【００２１】
該上蓋体１２は、該外殻体１１の一側に設置され、該底蓋体１３では、該外殻体１１の別の側に設けられる。本実施例において、該上蓋体１２及び該底蓋体１３は該外殻体１１の材質を合わせてプラスチック或いは金属材質から製作されてもよい。また、該外殻体１１、該上蓋体１２及び該底蓋体１３は組み立て完了後、リップスティックの造形に形成されてもよく、但し、この限りではなく、各種の装飾造形であってもよい。
【００２２】
該承載腔体１４では該外殻体１１の上の一側に設置されるとともに、液体の承載腔室１４１、貫通孔１４２及び係止部１４３を形成する。該液体の承載腔室１４１は、霧化液体２を承載するように供する。該貫通孔１４２は該霧化素子１５に対応している。本実施例において、該霧化液体２は噴霧型薬剤、エッセンシャルオイル或いは加湿用純水であってもよい。該係止部１４３は、該外殻体１１の端部に係合している。
【００２３】
該霧化素子１５は、圧電片１５１と、噴出孔片１５２と、噴出孔片の面蓋１５３と、を備える。該噴出孔片１５２は、該圧電片１５１と該噴出孔片１５２との間に設けられ、該噴出孔片の面蓋１５３では該圧電片１５１及び該噴出孔片１５２を蓋設するに供して該貫通孔１４２の一側に位置決められている。
【００２４】
該滑動具１６は該外殻体１１の側縁外部に設置されるとともに、滑り蓋１６１と、滑り蓋開閉部材１６２と、を備える。該滑り蓋開閉部材１６２は、該滑り蓋１６１の一側に組み立てられる。また、該滑り蓋１６１の上には、透光灯カバー１６１１及び複数の凸リブ１６１３が設けられる。また、該滑り蓋１６１は、これらの凸リブ１６１３によりこれらのガイドレール１１１に嵌合し、無段方式で該外殻体１１の側縁部に滑動することによって、開放位置及び閉鎖位置に位置する。また、該滑り蓋開閉部材１６２の上にはさらに磁石１６２１が設置される。この実施例において、該透光灯カバー１６１１を十字形の装飾模様に形成してよく、但し、この限りではない。
【００２５】
該回路板１７は該外殻体１１内に設置される。また、該回路板１７は該滑動具１６の一側に対応して磁気開閉器１７１及び発光ダイオード１７２が設けられる。本実施例において、該磁気開閉器１７１は磁気リードスイッチであり、該発光ダイオード１７２は該開孔１１２に対応している。
【００２６】
該圧力緩衝素子１８は、該上蓋体１２と該承載腔体１４との間に設けられる。該圧力緩衝素子１８の作用効果としては、該上蓋体１２が該承載腔体１４を気密に封止された後、該承載腔体１４は負圧状態を呈することにより、該上蓋体１２が開け困難な状況を発生しないよう防止することが可能である。
【００２７】
該電池ドック１９は、該外殻体１１内に設置され、且つ該回路板１７は該電池ドック１９の一側に係合している。該電池ドック１９は、電池を装設するように供することができ、該回路板１７に対し電エネルギーを提供する。また、該圧電片１５１は該回路板１７に電気的に接続される。
【００２８】
また、該承載腔体１４内に載置される霧化液体２が液漏れしないよう確保するために、該上蓋体１２と該承載腔体１４との間、及び該滑り蓋開閉部材１６２と該噴出孔片の面蓋１５３との間にさらにそれぞれ防水環３が設置される。
【００２９】
図３及び図４を参照する。それぞれ本考案の携帯型霧化装置に係る噴出孔片の好適な実施例の第１の模式図及び第２の模式図である。本実施例において、該噴出孔片１５２は、円皿形片体１５２１の上に複数の円形撃発孔１５２２を設置して構成された単純な噴出孔片の構造であってもよく、またはより一層霧化効果を増加する、及び製造過程を改善するために、円皿形片体１５２１、複数の第１の隆起部１５２４及び複数の円形撃発孔１５２２から構成されてもよい。
なお、これらの第１の隆起部１５２４は非円形を呈し、該噴出孔片１５２上に設けられるとともに、該噴出孔片１５２の中心としてて間隔をおいて配列して設置され、且つ該噴出孔片１５２の中心を基準とし、配列して設置されて幾何学模様に形成され、該噴出孔片１５２の断面を非曲面構造を呈させて、霧化過程の安定性及び霧化量を増進する、加工の困難度を低減する、及び抗低周波共振の能力を強化する。本実施例において、これらの第１の隆起部１５２４の外形は上記図面に限定されるものではなく、菱形、楕円形、三角形、砂時計形、三日月形或いは他の形状を呈してもよく、そしてこれらの第１の隆起部１５２４の横断面は、三角錐面、単一の弧面、斜面または台形面、或いは任意の形式であってもよい。
【００３０】
続いて、図５及び図６を参照する。それぞれ本考案の携帯型霧化装置の好適な実施例が閉鎖位置に位置している状態の立体図及び断面図である。該滑動具１６が閉鎖位置までに移動する時には、該滑動具１６は該噴出孔片の面蓋１５３を遮蔽する。この時、該滑り蓋開閉部材１６２の上に設けられる磁石１６２１は該回路板１７の磁気開閉器１７１から離れるようにすれば、該磁気開閉器１７１は、該噴出孔片１５２及び該回路板１７を遮断して、該霧化素子１５を非作動状態にさせる。
該滑動具１６を推進すれば、該滑動具１６を作動位置までに移動させる時には、この時、該噴出孔片の面蓋１５３は該滑動具１６の遮蔽には影響されずに露出し、且つ該磁石１６２１を該磁気開閉器１７１に近接すれば、該磁気開閉器１７１は誘導を受けさせた後、該圧電片１５１と該回路板１７を電気的に接続する導通状態を呈する。該圧電片１５１を電気的導通した後、その振動と連動することが可能で該噴出孔片１５２が振動し、噴出孔片１５２の円形撃発孔１５２２に接近する液体をレーリー波の作用を受けさせて微小な分子になるように切断して、噴出及び霧化に有利するようにする。
【００３１】
続いて、図７及び図８を参照する。それぞれ本考案の携帯型霧化装置が作動位置に位置している状態の立体図及び断面図である。また、該滑動具１６が作動位置までに移動する時には、該透光灯カバー１６１１はこの時、ちょうど該回路板１７の上に設けられる発光ダイオード１７２及び開孔１１２に対応しているため、発光ダイオード１７２から発出される一部の光線が開孔１１２、該カバー体１１３及び該透光灯カバー１６１１を透過して外部へ出射される。
【００３２】
以上、説明したように本考案の携帯型霧化装置は、その作用効果としては造形がコンパクトで軽量で、且つ持ち運びに便利で、且つそれは圧電式の霧化片を使用しているので、伝統的なノズル式の噴霧剤に比べて、より安定した均一な霧化効果を生成することができる。
【００３３】
唯だ、以上に述べたことは、単に本考案の好適な実施例であり、本考案の実施範囲になんらの制限を加えるものではない。本考案の精神と範囲を逸脱しない限り、それ等の効果変更又は修正は、なお、本考案の特許範囲内に含まれるものとする。
【符号の説明】
【００３４】
１        携帯型霧化装置
１１      外殻体
１１１    ガイドレール
１１２    開孔
１１３    カバー体
１２      上蓋体
１３      底蓋体
１４      承載腔体
１４１    承載腔室
１４２    貫通孔
１４３    係止部
１５      霧化素子
１５１    圧電片
１５２    噴出孔片
１５２１  円皿形片体
１５２２  円形撃発孔
１５２４  第１の隆起部
１５３    噴出孔片の面蓋
１６      滑動具
１６１    滑り蓋
１６１１  透光灯カバー
１６１３  凸リブ
１６２    滑り蓋開閉部材
１６２１  磁石
１７      回路板
１７１    磁気開閉器
１７２    発光ダイオード
１８      圧力緩衝素子
１９      電池ドック
２        霧化液体
３        防水環
【図１】
0003172728.tif 000003
【図２】
0003172728.tif 000004
【図３】
0003172728.tif 000005
【図４】
0003172728.tif 000006
【図５】
0003172728.tif 000007
【図６】
0003172728.tif 000008
【図７】
0003172728.tif 000009
【図８】
0003172728.tif 000010